(57)【要約】【課題】  輸液バッグに圧力等を加えて点滴を行う装置において、コンパクトで質量も軽くでき、最初から最後まで一定の圧力による輸液が可能な携帯性に優れた点滴装置を実現する。【解決手段】  ケース（１）内に押し板（３）を設け、押し板（３）には内部を真空にした長手方向に伸縮自在なベローズ（４）を取り付け、大気圧と真空の差圧により生じる引張り力で押し板（３）が固定板（１Ａ）との間に挟み込んだ輸液バッグ（９）を押して圧力をかけ、内部の薬液を外へ押し出す。【選択図】図１
2018068919.tif 000002
【特許請求の範囲】
【請求項１】
ケース（１）内に押し板（３）を設け、押し板（３）と固定板（１Ａ）を内部が真空の伸縮自在なベローズ（４）で繋ぎ、大気圧と真空の差圧によりベローズ（４）が縮もうとする力により押し板（３）が固定板（１Ａ）との間に挿入した輸液バッグ（９）を圧迫して内部の薬液を押し出すことを特徴とするポータブル点滴装置。
【請求項２】
請求項１において、使用するベローズ（４）は両側の端板（４Ａ，４Ｂ）の間を柔軟性のある伸縮膜（４Ｃ）で繋ぎ、伸縮膜（４Ｃ）の各山部の内側または外側にはリング状の補強板（４Ｄ）が一体化されていることを特徴とするポータブル点滴装置。
【請求項３】
請求項１において、押し板（３）の輸液バッグ（９）と接する面に弾性板（３Ａ）が貼り付けてあることを特徴とするポータブル点滴装置。
【発明の詳細な説明】
【技術分野】
【０００１】
本発明は医療器具に係り、据え置きで使用することもでき、身体に携帯して移動することも容易な点滴装置に関する。
【背景技術】
【０００２】
病院などで患者の医療に用いる一般的な点滴は、点滴スタンドを用い、点滴バッグを注入位置よりも高い位置にセットして、落差による揚程圧力により患者の静脈へ薬液を注入する方法で行っている。ベッドに寝ている場合はこの方法で何ら問題は無いが、点滴中に患者が歩いて移動する必要が生じた場合、点滴スタンドとともに移動しなければならない。このような場合に対処するために、点滴スタンドには設置部に4，5本の足がついており、各足には自在車輪がついていて、患者が点滴スタンドを手で押しながら移動できるようになっている。
【０００３】
しかしこのシステムは患者にとってベッドを離れての自由な移動を制限し、限られた範囲で移動するにしても邪魔になるものであった。それゆえに入院生活をますます憂鬱にさせる原因ともなっていた。この問題を解決しようとするために、ベッドから離れるときに点滴容器をハンガーに吊り下げた状態で移動する必要がなくなる携帯型点滴装置として、点滴容器を加圧バッグに入れ、空気ポンプで加圧バッグ内に空気を送り込んで加圧バッグ内の空気圧力を高め、点滴容器内の薬液を押し出すものや、ガスボンベに封入した圧縮ガスを加圧袋に導入し、加圧袋の膨張力で薬液袋を圧迫し、薬液を押し出すようにしたものがあるが、手動でたびたび空気を送り込む必要があったり、故障時に高圧がかかるなどの危険性があったりと実用化には問題があるものであった。
【０００４】
前記問題を解決するものとして特開２０１６−１８２３２９号に示された装置がある。この装置は錘の質量や渦巻ばねの力を利用して柔軟性のあるベローズを圧迫して内部の空気圧を高め、この空気圧を密閉容器や膨張バッグに導いて、圧力や押し付け力で輸液バッグを圧迫し、薬液を外部に押し出すようになっている。これにより点滴装置を吊るす必要がなくなり、肩から下げて移動できるので、患者にとって負担を軽減できる物となっている。
【先行技術文献】
【特許文献】
【０００５】
【特許文献１】特開２０１６−１８２３２９
【発明の概要】
【発明が解決しようとする課題】
【０００６】
特許文献1に示された装置は、従来の携帯型点滴装置の欠点を大幅に除去した優れた物であるが、なおいくつかの短所が残っている。ベローズを圧迫する手段として錘を利用するものにあっては、ベローズの長さにかかわらず最初から最後まで一定荷重で押し付けるで、内部に発生する圧力が変化せず、点滴速度が一定で安定しているという利点があった、しかし錘の分だけ装置が重くなるのでなるべく軽くして移動時の患者の負担を減らす目的に反するという短所があった。またベローズを圧迫する手段として渦巻ばねを利用するものにあっては、装置は軽くなって患者の負担は減るものの、ばねの種類としては荷重変動が少ない渦巻ばねとはいえ、ベローズが長い初期状態からベローズが短くなるにつれ少しずつ押し付け荷重が減少し、内部に発生する圧力も減少するので点滴速度が少しずつ減少していくという短所があった。これは大きな問題ではないが、点滴時間が延びたり、途中で再調整が必要になったりするので好ましいことではない。
【課題を解決するための手段】
【０００７】
本発明は上記課題を解決するものとしてなされたものである。本発明も輸液バッグを圧迫して薬液を押し出すことは特許文献１と同じである。しかし本発明では力を加える手段として、錘や渦巻ばねではなく、内部を真空にした柔軟性のあるベローズを用いる。ベローズの円筒面は剛性を持たせてつぶれないようにしてあり、長手方向には伸縮自在になっている。ベローズ外部の大気圧と内部の真空との差圧によりベローズは軸方向に縮む力を発生し、あたかも引張コイルばねのような働きをする。引張コイルばねは長さが変化すると引張荷重も変化するが、真空にしたベローズは長さにかかわらず一定の引張荷重を発生する点が異なっている。
【０００８】
本発明では固定板と押し板の間を上記ベローズで繋ぐ。押し板を固定板から開いてその間に輸液バッグをセットした後、押し板を戻すとベローズの引っ張り力で輸液バッグが圧迫され、輸液バッグに接続されたチューブから薬液を外へ押し出す。チューブの先に点滴装置を接続し、通常と同じ方法で点滴を行う。
【０００９】
ベローズは両側の端板を柔軟な伸縮膜で繋いだ構造にして長手方向に伸縮自在にする。伸縮膜の山部の内側または外側には補強板を一体化して伸縮膜が径方向につぶれないようにする。
【００１０】
さらに改良された装置として、押し板が輸液バッグと接する面には柔軟性のある弾性板を貼り付けることにより、輸液バッグとの密着性を高めてもよい。
【発明の効果】
【００１１】
本発明によれば、錘を使わないので装置全体を軽くできる。ベローズの引っ張り力はベローズの端板面積と差圧が常に一定なのでベローズの長さに関係なく引っ張り力が一定で、コイルばねのように長さによって引っ張り力が変化することはない。すなわち、軽量で携帯する場合の負担が少なく、常に一定量の安定した点滴が可能な装置を実現できる。また、ベローズは完全密閉で、ピストンとシリンダを使う場合のようなシール部分がなく、内部の真空度の低下度合いも少ないので、たびたび真空引きすることなく、長期にわたってメンテナンスフリーで使用できる。
【００１２】
ベローズには伸縮膜の山部の内側または外側に補強板を一体化したので、長手方向には伸縮自在で径方向にはつぶれるおそれのないベローズにすることができる。また押し板に弾性板を貼り付けたものは輸液バッグ内の薬液を完全に押し出して残留を防止することができる。
【図面の簡単な説明】
【００１３】
【図１】本発明の実施例１の点滴開始時の三次元透視図である。
【図２】本発明の実施例１の点滴終了時の三次元透視図である。
【図３】本発明に用いるベローズのひとつの構造を示す三次元軸方向切断図である。
【図４】本発明に用いるベローズの別の構造を示す三次元軸方向切断図である。
【図５】本発明の実施例2を示す三次元内部構造図である。
【図６】本発明の実施例3を示す三次元内部構造図である。
【発明を実施するための形態】
【００１４】
本発明の実施形態を図１乃至図６を使用して説明する。
【実施例】
【００１５】
図１および図２は本発明の実施例１を示す。図１は点滴開始時の装置の三次元透視図である。ケース１の上面には開閉式の蓋２が設けられている。ケース１には移動時に肩から吊して携帯できるように肩紐１１が付属している。ケース内を仕切るようにケース１とは繋がっていない押し板３が設けられている。押し板３と固定板１Ａは、内部が真空で長手方向に伸縮自在なベローズ４で繋がっている。ベローズ４は押し板３の左右両側に一対設けられている。ケース１の側板下部には軸受１Ｂおよび１Ｃが設けられ、心棒５が回転自由に嵌合している。心棒５には２カ所に円板の一部を切り出した形の糸巻き５Ａが設けられている。心棒５の一端にはレバー５Ｂが設けられており、レバー５Ｂを回転することによって心棒５と糸巻き５Ａが回転するようになっている。心棒５と押し板３の間には2カ所に支柱６が設けられ、その先端にはそれぞれプーリ７が設けられている。
【００１６】
押し板３の手前側にはベローズ４と同じ高さ位置の２カ所に引き糸８が繋がっている。引き糸８はプーリ７で方向転換して糸巻き５Ａの一端に連結している。図１の状態はレバー５Ｂが横倒しになってロックされている状態である。ロック機構は図示していないが、ばね式の爪がレバー５Ｂの一部に掛かり、レバーが戻るのを防止する。爪にはこれを引っ込めるボタンやノブが連動しており、このボタンやノブを押したりスライドさせたりすると爪がレバーから外れるような仕組みになっている。図１の状態では糸巻き５Ａが回転して引き糸８が巻かれた状態になっており、押し板３を手前に引いた状態になっている。ケース１の固定板１Ａと押し板３の間にはスペースができており、このスペースに輸液バッグ９をセットし、吊り糸１０に掛けて宙吊りの状態にしてある。輸液バッグ９の下部にはチューブ９Ａが接続されており、チューブ９Ａは蓋２に設けられた開口部２Ａを通して外部へ引き出されている。図示していないが、チューブ９Ａの先には点滴筒、クレンメ、延長チューブ、注射針など通常の点滴器具が接続される。さらに特許文献１に示されたようなフロート弁が付いた液切れ閉塞器を設ければ輸液バッグの残留空気が注入されるのを防止することもできる。
【００１７】
点滴の準備ができ、クレンメで回路を閉じた状態でレバー５Ｂのロックを解除する。そうすると糸巻き５Ａは回転自由になるので引き糸８の張力は解放され、ベローズ４は外部の大気圧と内部の真空の差圧により縮もうとするので押し板３は固定板１Ａの方に引っ張られ、輸液バッグ９を圧迫する。このとき輸液に作用する圧力は、輸液バッグを点滴スタンドに吊して重力で点滴を行うときの落差の水柱圧力と同程度になるようにベローズ４の受圧面積を調整してある。その後通常の点滴操作と同様、適量の点滴速度になるようにクレンメを調整して点滴を開始する。
【００１８】
図２は点滴が進んで終了した時点の状態を示している。押し板３が輸液バッグ９を押し切った状態になり、引き糸８は一杯に繰り出された状態になり、糸巻き５Ａが回転してレバー５Ｂは直立位置に戻っている。その後は通常の点滴終了操作を行った後、レバー５Ｂを横倒しにしてロックし、空になった輸液バッグ９を取り出して一連の操作が終了する。
【００１９】
図３は本発明に使うのに好適なベローズ４のひとつの構造を示している。ベローズ４は端板４Ａと端板４Ｂを柔軟な伸縮膜４Ｃで繋いである。伸縮膜４Ｃには薄い樹脂膜などを使用すれば柔軟性を持たせることができる。伸縮膜４Ｃの各山部の内側には薄くて剛性のあるリング状の補強板４Ｄが一体化されている。補強板４Ｄは伸縮膜４Ｃと同一材でもよいし、アルミ板など別の材質を使用してもよい。補強板４Ｄは剛性さえ持たせられれば円形断面の補強リングでも構わない。このように構成したベローズ4は長手方向には柔軟に伸縮するが、内部を真空にしても伸縮膜４Ｃが径方向につぶれるのを防止できる。したがってベローズ4は長さが変化しても引張り力が変わらない引っ張りばねの役割を果たす。
【００２０】
図４は本発明に使うのに好適なベローズ４の別の構造を示している。ベローズ４は端板４Ａと端板４Ｂを柔軟な伸縮膜４Ｃで繋いである。伸縮膜４Ｃには薄い樹脂膜などを使用すれば柔軟性を持たせることができる。伸縮膜４Ｃの各山部の外側には薄くて剛性のあるリング状の補強板４Ｄが一体化されている。補強板４Ｄは伸縮膜４Ｃと同一材でもよいし、アルミ板など別の材質を使用してもよい。補強板４Ｄは剛性さえ持たせられれば円形断面の補強リングでも構わない。このように構成したベローズ4は長手方向には柔軟に伸縮するが、内部を真空にしても伸縮膜４Ｃが径方向につぶれるのを防止できる。したがってベローズ4は長さが変化しても引張り力が変わらない引っ張りばねの役割を果たす。
【００２１】
図５は本発明の実施例２の内部構造を示す。押し板３の輸液バッグ９と接する面に弾性板３Ａが貼り付けてある。弾性板３Ａには樹脂ウレタンなどを用いれば適度な弾性を持たせることができる。本実施例によれば押し板３と輸液バッグ９の密着性がよく、輸液バッグ９を最後まで押し切ったときに内部の薬液を完全に押し出し、残留を防止することができる。
【００２２】
図６は本発明の実施例３の内部構造を示す。押し板３と固定板１Ａの間に輸液バッグ９を挟み込む点は実施例１と同様であるが、本実施例ではベローズ４を１個だけ用いている。押し板３の手前側にケーシング１に固定されたベローズ固定板１２を設け、ベローズ４が固定されており、プーリ７が２カ所に取り付けられている。端板４Ａにはベローズ４の両側に押し棒１３が一対接続されている。押し棒１３はベローズ固定板１２に設けられた穴を貫通して押し板３に接続されている。押し板３には２カ所に引き糸８が接続されている。引き糸８はベローズ固定板１２に設けられた穴を通ってプーリ７で方向転換し、心棒５に巻き付けられている。心棒５の一端はケーシング１を貫通し、回転つまみ５Ｃが取り付けられている。回転つまみ５Ｃを時計方向に回せば引き糸８が心棒５に巻き付き、押し板３を手前に引き寄せることができる。図示していないが回転つまみ５Ｃが反時計方向に回るのを防止するラッチ機構が設けてあり、引き糸８が心棒５からほどけるのを防止している。このラッチを解除する機構も設けてあり、解除すれば回転つまみ５Ｃは反時計方向に回転できる。
【００２３】
回転つまみ５Ｃを時計方向に回せば押し板３と固定板１Ａの間にスペースができるのでそこに輸液バッグ９をセットする。その後回転つまみ５Ｃのラッチを解除すると引き糸８の張力が解放されるので、大気圧と真空の差圧でベローズ４は縮む力を発生し、端板４Ａは押し棒１３を介して押し板３を押す。押し板３は輸液バッグ９を圧迫し中の薬液を外へ押し出す。これにより、輸液バッグ９の下部から導かれたチューブ９Ａから点滴を行うことができる。
【００２４】
実施例１または３では押し板３を引き戻す機構として、引き糸８を糸巻き５Ａあるいは心棒５で巻き取る構造にしたが、リンクやカムなどの機械的な機構で引き戻してもよい。
【００２５】
本発明の装置をベッドで使用する場合は、ベッドの脇の台に置いて使うこともでき、ベッドの背板の一部に肩紐１１で吊り下げて使うこともできるので、従来のような点滴スタンドは必要ない。また点滴をしながら移動するときは肩紐１１を肩に掛けて装置を携帯できるので、従来のように点滴スタンドを押しながら歩くことも必要なくなり、患者にとって負担が大きく軽減できると共に、物に当たって点滴スタンドが転倒するなどの事故も防止できて安全性が向上する。
【符号の説明】
【００２６】
１  ケース
３  押し板
４  ベローズ
９  輸液バッグ
【図１】
2018068919.tif 000003
【図２】
2018068919.tif 000004
【図３】
2018068919.tif 000005
【図４】
2018068919.tif 000006
【図５】
2018068919.tif 000007
【図６】
2018068919.tif 000008